(57)【要約】【課題】払戻金の通知の際の投票者の違和感を軽減して、投票者に払戻金の確認をし易くすること。【解決手段】公営競技システム１は、センター装置１０と、着順表示装置６０と、音声案内装置７０と、管理装置４０とを有する。センター装置１０は、払戻金データを送信する。着順表示装置６０は、払戻金データを受信し、受信した払戻金データを画像に変換し、変換後の画像を出力することによって払戻金を通知する。音声案内装置７０は、払戻金データを受信し、受信した払戻金データを音声に変換し、変換後の音声を出力することによって払戻金を通知する。管理装置４０は、払戻金データを受信し、受信した払戻金データに基づいて、レースの賭式毎に、着順表示装置６０における画像の出力による払戻金の通知開始タイミングと、音声案内装置７０における音声の出力による払戻金の通知開始タイミングとを一致させる。【選択図】図１
2019207623.tif 000002
【特許請求の範囲】
【請求項１】
センター装置と、第一装置と、第二装置と、管理装置とを具備する公営競技システムであって、
前記センター装置は、公営競技のレースの払戻金を含むデータである払戻金データを送信し、
前記第一装置は、前記払戻金データを受信し、受信した前記払戻金データを画像に変換し、変換後の画像を出力することによって前記払戻金を通知し、
前記第二装置は、前記払戻金データを受信し、受信した前記払戻金データを音声に変換し、変換後の音声を出力することによって前記払戻金を通知し、
前記管理装置は、前記払戻金データを受信し、受信した前記払戻金データに基づいて、前記レースの賭式毎に、前記第一装置における前記画像の出力による前記払戻金の通知開始タイミングである第一タイミングと、前記第二装置における前記音声の出力による前記払戻金の通知開始タイミングである第二タイミングとを一致させる、
公営競技システム。
【請求項２】
前記管理装置は、前記払戻金データに基づいて、前記賭式毎に、前記第二装置における前記音声の出力時間を算出する、
請求項１に記載の公営競技システム。
【請求項３】
前記管理装置は、前記賭式毎に、前記第一装置における前記画像の出力時間と、前記第二装置における前記音声の前記出力時間とのうち、より長い時間に基づいて、前記第一タイミングと前記第二タイミングとを一致させる、
請求項２に記載の公営競技システム。
【請求項４】
公営競技のレースの払戻金を含むデータである払戻金データを送信するセンター装置と、前記払戻金データを受信し、受信した前記払戻金データを画像に変換し、変換後の画像を出力することによって前記払戻金を通知する第一装置と、前記払戻金データを受信し、受信した前記払戻金データを音声に変換し、変換後の音声を出力することによって前記払戻金を通知する第二装置とに接続された管理装置であって、
前記センター装置から前記払戻金データを受信する通信部と、
受信された前記払戻金データに基づいて、前記レースの賭式毎に、前記第一装置における前記画像の出力による前記払戻金の通知開始タイミングと、前記第二装置における前記音声の出力による前記払戻金の通知開始タイミングとを一致させる制御部と、
を具備する管理装置。
【発明の詳細な説明】
【技術分野】
【０００１】
本発明は、公営競技システム及び管理装置に関する。
【背景技術】
【０００２】
競馬、競輪、競艇及びオートレースの公営競技の投票券（以下では単に「投票券」と呼ぶことがある）を購入した者（以下では「投票者」と呼ぶことがある）は、各レースの払戻金を、本場や場外発売所に設置された着順表示装置または音声案内装置により知ることが多い。
【０００３】
通常、公営競技の各レースの払戻金はセンター装置で計算され、着順表示装置及び音声案内装置の各装置は、センター装置で計算された払戻金を含むデータ（以下では「払戻金データ」と呼ぶことがある）をセンター装置から受信し、受信した払戻金データを各装置での特有の変換方式に従って変換した上で払戻金を画像や音声で投票者に通知する。例えば、着順表示装置は、文字コードで表された払戻金データを、所定の変換方式に従って画像に変換し、変換後の画像をディスプレイに出力することにより払戻金を視覚的に投票者に通知する。また例えば、音声案内装置は、文字コードで表された払戻金データを、所定の変換方式に従って音声に変換し、変換後の音声をスピーカから出力することにより払戻金を聴覚的に投票者に通知する。
【先行技術文献】
【特許文献】
【０００４】
【特許文献１】特開２００６−０４８５７１号公報
【特許文献２】特開２０１４−１５４８９７号公報
【特許文献３】特開２０１５−１９２３３３号公報
【発明の概要】
【発明が解決しようとする課題】
【０００５】
しかし、着順表示装置と音声案内装置とは、それぞれ個別に画像の出力と音声の出力とを行うため、着順表示装置と音声案内装置との間で、同一内容の払戻金の通知開始タイミングがずれてしまうことがあった。このため、着順表示装置と音声案内装置との双方から同時に払戻金の通知を受ける状態にある投票者は、払戻金の通知に違和感を覚えるとともに、払戻金の確認がし辛いことがあった。
【０００６】
開示の技術は、上記に鑑みてなされたものであって、払戻金の通知の際の投票者の違和感を軽減して、投票者に払戻金の確認をし易くすることを目的とする。
【課題を解決するための手段】
【０００７】
開示の態様の公営競技システムは、センター装置と、第一装置と、第二装置と、管理装置とを有する。前記センター装置は、公営競技のレースの払戻金を含むデータである払戻金データを送信する。前記第一装置は、前記払戻金データを受信し、受信した前記払戻金データを画像に変換し、変換後の画像を出力することによって前記払戻金を通知する。前記第二装置は、前記払戻金データを受信し、受信した前記払戻金データを音声に変換し、変換後の音声を出力することによって前記払戻金を通知する。前記管理装置は、前記払戻金データを受信し、受信した前記払戻金データに基づいて、前記レースの賭式毎に、前記第一装置における前記画像の出力による前記払戻金の通知開始タイミングである第一タイミングと、前記第二装置における前記音声の出力による前記払戻金の通知開始タイミングである第二タイミングとを一致させる。
【発明の効果】
【０００８】
開示の態様によれば、払戻金の通知の際の投票者の違和感を軽減して、投票者に払戻金の確認をし易くすることができる。
【図面の簡単な説明】
【０００９】
【図１】図１は、実施例１の公営競技システムの構成例を示す図である。
【図２】図２は、実施例１の払戻金データの一例を示す図である。
【図３】図３は、実施例１の着順表示装置の出力例を示す図である。
【図４】図４は、実施例１の管理装置の構成例を示す図である。
【図５】図５は、実施例１の公営競技システムの処理の説明に供する処理シーケンスである。
【図６】図６は、実施例１の公営競技システムの動作例の説明に供する図である。
【図７】図７は、実施例１の公営競技システムの動作例の説明に供する図である。
【図８】図８は、実施例１の公営競技システムの動作例の説明に供する図である。
【図９】図９は、実施例１の公営競技システムの動作例の説明に供する図である。
【図１０】図１０は、実施例１の公営競技システムの動作例の説明に供する図である。
【図１１】図１１は、実施例２の管理装置のハードウェア構成例を示す図である。
【発明を実施するための形態】
【００１０】
以下に、本願の開示する公営競技システム及び管理装置の実施例を図面に基づいて説明する。なお、この実施例により本願の開示する公営競技システム及び管理装置が限定されるものではない。また、実施例において同一の構成、及び、同一の処理を行うステップには同一の符号を付す。また、以下では、公営競技の一例として競輪を挙げて説明する。しかし、開示の技術は、競馬、競艇及びオートレース等、競輪以外の公営競技における公営競技システムにも適用可能である。
【００１１】
［実施例１］
＜公営競技システムの構成＞
図１は、実施例１の公営競技システムの構成例を示す図である。図１において、公営競技システム１は、センター装置１０と、上位装置３０と、管理装置４０と、着順表示装置６０と、音声案内装置７０とを有する。センター装置１０と、上位装置３０と、管理装置４０とは、ネットワーク２０を介して接続されている。
【００１２】
センター装置１０は、競輪の各レース毎、各賭式毎、及び、各組番毎に、払戻金を計算し、払戻金データをネットワーク２０を介して上位装置３０及び管理装置４０へ送信する。払戻金データには、払戻金の他、レースの開催場、レース番号、賭式、及び、組番が含まれる。図２は、実施例１の払戻金データの一例を示す図である。図２に示す払戻金データでは、例えば、前橋競輪場で開催された第１２レースにおいて、賭式「２枠複」の組番「１−２」の払戻金が「１２０円」であり、賭式「３連単」の組番「１−２−３」の払戻金が「１,２３４,５００円」であることが示されている。
【００１３】
上位装置３０は、センター装置１０から受信した払戻金データを、着順表示装置６０及び音声案内装置７０へ配信する。
【００１４】
着順表示装置６０は、上位装置３０から受信した払戻金データを、着順表示装置６０に特有の画像変換方式に従って画像に変換し、変換後の画像を着順表示装置６０が有するディスプレイに出力することにより払戻金を視覚的に投票者に通知する。払戻金データから画像への変換は、各レースの各賭式毎に行われ、払戻金は各レースの各賭式毎に個別にディスプレイに表示される。
【００１５】
図３は、実施例１の着順表示装置の出力例を示す図である。図３に示すように、着順表示装置６０が有するディスプレイＤ１には、開催場が出力されるフィールドＦ１と、レース番号が出力されるフィールドＦ２と、Ｉ着，II着，III着の枠番が出力されるフィールドＦ３と、賭式が出力されるフィールドＦ４と、組番が出力されるフィールドＦ５と、払戻金が出力されるフィールドＦ６と設定されている。フィールドＦ１〜Ｆ６のうち、フィールドＦ４〜Ｆ６は、賭式毎に順次切り替えて出力される。例えば、払戻金データが図２に示すものである場合、ディスプレイＤ１のフィールドＦ４〜Ｆ６には、まず「２枠複  １−２  １２０円」と出力された後、続けて「２枠単  １−２  １,２３０円」と出力される。さらに続けて「２車複  １−２  １,５００円」、「２車単  １−２  １２,３００円」、…、「ワイド  １−３  ２２０円」、「ワイド  ２−３  １２，３００円」と順次出力される。このように、着順表示装置６０は、払戻金を、賭式毎に順次切り替えながら画像で通知する。
【００１６】
音声案内装置７０は、上位装置３０から受信した払戻金データを、音声案内装置７０に特有の音声変換方式に従って音声に変換し、変換後の音声を音声案内装置７０が有するスピーカから出力することにより払戻金を聴覚的に投票者に通知する。払戻金データから音声への変換は、各レースの各賭式毎に行われ、払戻金は各レースの各賭式毎にスピーカから出力される。例えば、払戻金データが図２に示すものである場合、音声案内装置７０は、まず「２枠複  １−２  １２０円」と音声で出力した後、続けて「２枠単  １−２  １,２３０円」と音声で出力する。さらに続けて、音声案内装置７０は、「２車複  １−２  １,５００円」、「２車単  １−２  １２,３００円」、…、「ワイド  １−３  ２２０円」、「ワイド  ２−３  １２，３００円」と払戻金を音声で順次出力する。このように、音声案内装置７０は、払戻金を、レース毎に一連の音声で、賭式毎に通知する。
【００１７】
管理装置４０は、センター装置１０から払戻金データを受信し、受信した払戻金データに基づいて、賭式毎に、着順表示装置６０での画像の出力タイミングと、音声案内装置７０での音声の出力タイミングとを調節する。
【００１８】
＜管理装置の構成＞
図４は、実施例１の管理装置の構成例を示す図である。図４において、管理装置４０は、第一通信部４１と、制御部４２と、記憶部４３と、第二通信部４４とを有する。
【００１９】
第一通信部４１はネットワーク２０に接続され、センター装置１０から払戻金データを受信し、受信した払戻金データを制御部４２へ出力する。制御部４２は、第一通信部４１から入力された払戻金データを記憶部４３へ出力する。記憶部４３は、制御部４２から入力された払戻金データを記憶する。
【００２０】
また、制御部４２は、センター装置１０から受信された払戻金データに基づいて、着順表示装置６０での画像の出力タイミングと、音声案内装置７０での音声の出力タイミングとを賭式毎に調節し、着順表示装置６０宛ての画像出力指示と、音声案内装置７０宛ての音声出力指示とを、賭式毎に第二通信部４４へ出力する。
【００２１】
第二通信部４４は、着順表示装置６０及び音声案内装置７０に接続され、制御部４２から入力された画像出力指示を着順表示装置６０へ送信し、制御部４２から入力された音声出力指示を音声案内装置７０へ送信する。
【００２２】
＜公営競技システムの処理・動作＞
図５は、実施例１の公営競技システムの処理の説明に供する処理シーケンスである。また、図６〜図１０は、実施例１の公営競技システムの動作例の説明に供する図である。図５に示す処理シーケンスは、各レースの払戻金が確定した時点で開始される。
【００２３】
図５において、まずステップＳ１１，Ｓ１３，Ｓ１５では、センター装置１０は、払戻金データを、管理装置４０、着順表示装置６０及び音声案内装置７０へ送信し、管理装置４０の第一通信部４１、着順表示装置６０及び音声案内装置７０は、払戻金データを受信する。
【００２４】
ステップＳ１７では、管理装置４０の制御部４２は、賭式毎の画像出力時間を記憶部４３から取得する。図６に、賭式と画像出力時間との対応関係が設定された画像出力時間テーブルの一例を示す。図６に示す画像出力時間テーブルＴ１は記憶部４３に予め記憶されている。画像出力時間テーブルＴ１には、例えば、賭式「２枠複」及び「２枠単」の払戻金の画像出力時間として「５秒」、賭式「２車複」、「２車単」、「３連複」、「３連単」及び「ワイド」の払戻金の画像出力時間として「１０秒」が予め設定されている。
【００２５】
制御部４２は、画像出力時間テーブルＴ１を払戻金データに基づいて参照することにより、賭式毎に画像出力時間を取得する。例えば、払戻金データが図２に示すものである場合、制御部４２は、図１０に示すように、出力順「１」の賭式「２枠複」及び出力順「２」の賭式「２枠単」の各賭式の払戻金の画像出力時間として「５秒」を取得し、出力順「３」の賭式「２車複」、出力順「４」の賭式「２車単」、出力順「５」の賭式「３連複」及び出力順「６」の賭式「３連単」の各賭式の払戻金の画像出力時間として「１０秒」を取得し、出力順「７」，「８」，「９」の賭式「ワイド」の払戻金の画像出力時間として「１０秒」を取得する。
【００２６】
ステップＳ１９では、制御部４２は、センター装置１０から受信された払戻金データに基づいて、賭式毎に音声出力時間を算出する。音声出力時間の算出のために、記憶部４３には、賭式所要時間テーブルＴ２（図７）と、着番所要時間テーブルＴ３（図８）と、金額所要時間テーブルＴ４とが予め記憶されている。
【００２７】
賭式所要時間テーブルＴ２（図７）には、賭式と、各賭式を音声出力した場合に必要となる時間との対応関係が設定されている。例えば、賭式所要時間テーブルＴ２には、賭式「２枠複」、「２枠単」、「２車複」及び「２車単」の各賭式をひらがなで表すとそれぞれ「５文字」であるため、賭式所要時間テーブルＴ２には、賭式「２枠複」、「２枠単」、「２車複」及び「２車単」の各賭式を音声で出力するには「１.５秒」必要となることが示されている。これに対し、賭式「３連複」及び「３連単」の各賭式をひらがなで表すとそれぞれ「６文字」であるため、賭式所要時間テーブルＴ２には、賭式「３連複」及び「３連単」の各賭式を音声で出力するには「２秒」必要となることが示されている。また例えば、賭式「ワイド」をひらがなで表すと「３文字」であるため、賭式所要時間テーブルＴ２には、賭式「ワイド」を音声で出力するには「１秒」必要となることが示されている。
【００２８】
また、着番所要時間テーブルＴ３（図８）には、着番と、各着番を音声出力した場合に必要となる時間との対応関係が設定されている。例えば、着番所要時間テーブルＴ３には、着番「Ｉ・II着」の枠番を音声で出力するには「１秒」必要となるのに対し、着番「Ｉ・II・III着」の枠番を音声で出力するには「１.５秒」必要となることが示されている。
【００２９】
また、金額所要時間テーブルＴ４（図９）には、払戻金の金額の桁数と、各払戻金額を音声出力した場合に必要となる時間との対応関係が設定されている。例えば、金額所要時間テーブルＴ４には、２桁の金額の払戻金を音声で出力するには「６秒」、３桁の金額の払戻金を音声で出力するには「７秒」、４桁の金額の払戻金を音声で出力するには「８秒」、５桁の金額の払戻金を音声で出力するには「９秒」、６桁の金額の払戻金を音声で出力するには「１０秒」、７桁の金額の払戻金を音声で出力するには「１１秒」必要となることが示されている。
【００３０】
制御部４２は、賭式所要時間テーブルＴ２、着番所要時間テーブルＴ３及び金額所要時間テーブルＴ４を払戻金データに基づいて参照することにより、賭式毎に音声出力時間を算出する。例えば、払戻金データが図２に示すものである場合、制御部４２は、図１０に示すように、出力順「１」の払戻内容「２枠複  １−２  １２０円」については、音声出力時間を「１.５秒＋１秒＋７秒＝９.５秒」と算出し、出力順「２」の払戻内容「２枠単  １−２  １,２３０円」については、音声出力時間を「１.５秒＋１秒＋８秒＝１０.５秒」と算出し、出力順「３」の払戻内容「２車複  １−２  １,５００円」については、音声出力時間を「１.５秒＋１秒＋８秒＝１０.５秒」と算出し、出力順「４」の払戻内容「２車単  １−２  １２,３００円」については、音声出力時間を「１.５秒＋１秒＋９秒＝１１.５秒」と算出し、出力順「５」の払戻内容「３連複  １−２−３  １２３,４００円」については、音声出力時間を「２秒＋１.５秒＋１０秒＝１３.５秒」と算出し、出力順「６」の払戻内容「３連単  １−２−３  １,２３４,５００円」については、音声出力時間を「２秒＋１.５秒＋１１秒＝１４.５秒」と算出する。また例えば、制御部４２は、図１０に示すように、出力順「７」の払戻内容「ワイド  １−２  １１０円」については、音声出力時間を「１秒＋１秒＋７秒＝９秒」と算出し、出力順「８」の払戻内容「ワイド  １−３  ２２０円」については、音声出力時間を「１秒＋１秒＋７秒＝９秒」と算出し、出力順「９」の払戻内容「ワイド  ２−３  １２,３００円」については、音声出力時間を「１秒＋１秒＋９秒＝１１秒」と算出する。
【００３１】
図５に戻り、ステップＳ２１では、制御部４２は、ステップＳ１７で取得した画像出力時間と、ステップＳ１９で算出した音声出力時間とを賭式毎に比較し、画像出力時間と音声出力時間とのうち、より長い時間を各賭式の切替待ち時間として決定する。
【００３２】
例えば、図１０において、出力順「１」の賭式「２枠複」については、画像出力時間が「５秒」であるのに対し音声出力時間が「９.５秒」であるため、より長い「９.５秒」が切替待ち時間に決定される。同様に、出力順「２」の賭式「２枠単」については、画像出力時間が「５秒」であるのに対し音声出力時間が「１０.５秒」であるため、より長い「１０.５秒」が切替待ち時間に決定され、出力順「３」の賭式「２車複」については、画像出力時間が「１０秒」であるのに対し音声出力時間が「１０.５秒」であるため、より長い「１０.５秒」が切替待ち時間に決定され、出力順「４」の賭式「２車単」については、画像出力時間が「１０秒」であるのに対し音声出力時間が「１１.５秒」であるため、より長い「１１.５秒」が切替待ち時間に決定され、出力順「５」の賭式「３連複」については、画像出力時間が「１０秒」であるのに対し音声出力時間が「１３.５秒」であるため、より長い「１３.５秒」が切替待ち時間に決定され、出力順「６」の賭式「３連単」については、画像出力時間が「１０秒」であるのに対し音声出力時間が「１４.５秒」であるため、より長い「１４.５秒」が切替待ち時間に決定される。また同様に、出力順「７」の賭式「ワイド」については、画像出力時間が「１０秒」であるのに対し音声出力時間が「９秒」であるため、より長い「１０秒」が切替待ち時間に決定され、出力順「８」の賭式「ワイド」については、画像出力時間が「１０秒」であるのに対し音声出力時間が「９秒」であるため、より長い「１０秒」が切替待ち時間に決定され、出力順「９」の賭式「ワイド」については、画像出力時間が「１０秒」であるのに対し音声出力時間が「１１秒」であるため、より長い「１１秒」が切替待ち時間に決定される。
【００３３】
図５に戻り、ステップＳ２３では、着順表示装置６０は、管理装置４０で行われるステップＳ１７〜Ｓ２１の処理と並行して、払戻金データを着順表示装置６０に特有の画像変換方式に従って画像に変換する。着順表示装置６０は、払戻金データに含まれるすべての内容の画像変換が完了した時点で、画像変換完了通知を管理装置４０へ送信する（ステップＳ２５）。画像変換完了通知は、管理装置４０の第二通信部４４によって受信され制御部４２に入力される。
【００３４】
一方、ステップＳ２７では、音声案内装置７０は、管理装置４０で行われるステップＳ１７〜Ｓ２１の処理と並行して、払戻金データを音声案内装置７０に特有の音声変換方式に従って音声に変換する。音声案内装置７０は、払戻金データに含まれるすべての内容の音声変換が完了した時点で、音声変換完了通知を管理装置４０へ送信する（ステップＳ２９）。音声変換完了通知は、管理装置４０の第二通信部４４によって受信され制御部４２に入力される。
【００３５】
管理装置４０の制御部４２は、画像変換完了通知及び音声変換完了通知の双方が入力された後、まずステップＳ３１，Ｓ３３において、出力順「１」の賭式「２枠複」（図１０）について、画像出力指示及び音声出力指示を同時に第二通信部４４へ出力し、第二通信部４４は、賭式「２枠複」の画像出力指示を着順表示装置６０へ送信する一方で、画像出力指示の送信と同時に、賭式「２枠複」の音声出力指示を音声案内装置７０へ送信する。そして、賭式「２枠複」の画像出力指示が着順表示装置６０に受信されるのと同時に、賭式「２枠複」の音声出力指示が音声案内装置７０に受信される。
【００３６】
ステップＳ３５では、ステップＳ３１で管理装置４０から賭式「２枠複」の画像出力指示を受信した着順表示装置６０が、受信した画像出力指示（２枠複）に従って、「２枠複  １−２  １２０円」の画像の出力を開始する。また、ステップＳ３７では、ステップＳ３３で管理装置４０から賭式「２枠複」の音声出力指示を受信した音声案内装置７０が、受信した音声出力指示（２枠複）に従って、ステップＳ３５で着順表示装置６０が「２枠複  １−２  １２０円」の画像の出力を開始したのと同時に、「２枠複  １−２  １２０円」の音声の出力を開始する。つまり、制御部４２からの制御によって、出力順「１」の払戻内容「２枠複  １−２  １２０円」について、着順表示装置６０での画像出力の開始タイミングと、音声案内装置７０での音声出力の開始タイミングとが一致する。
【００３７】
ステップＳ３９では、管理装置４０の制御部４２は、ステップＳ３１，Ｓ３３で出力順「１」の賭式「２枠複」についての画像出力指示及び音声出力指示を同時に第二通信部４４へ出力した時点を起点として、出力順「１」の賭式「２枠複」についての切替待ち時間「９.５秒」（図１０）が経過するのを待つ。
【００３８】
そして、制御部４２は、出力順「１」の賭式「２枠複」についての切替待ち時間「９.５秒」が経過した時点で、ステップＳ４１，Ｓ４３において、出力順「２」の賭式「２枠単」（図１０）について、画像出力指示及び音声出力指示を同時に第二通信部４４へ出力し、第二通信部４４は、賭式「２枠単」の画像出力指示を着順表示装置６０へ送信する一方で、画像出力指示の送信と同時に、賭式「２枠単」の音声出力指示を音声案内装置７０へ送信する。そして、賭式「２枠単」の画像出力指示が着順表示装置６０に受信されるのと同時に、賭式「２枠単」の音声出力指示が音声案内装置７０に受信される。
【００３９】
ステップＳ４５では、ステップＳ４１で管理装置４０から賭式「２枠単」の画像出力指示を受信した着順表示装置６０が、受信した画像出力指示（２枠単）に従って、「２枠単  １−２  １,２３０円」の画像の出力を開始する。また、ステップＳ４７では、ステップＳ４３で管理装置４０から賭式「２枠単」の音声出力指示を受信した音声案内装置７０が、受信した音声出力指示（２枠単）に従って、ステップＳ４５で着順表示装置６０が「２枠単  １−２  １,２３０円」の画像の出力を開始したのと同時に、「２枠単  １−２  １,２３０円」の音声の出力を開始する。つまり、制御部４２からの制御によって、出力順「２」の払戻内容「２枠単  １−２  １,２３０円」について、着順表示装置６０での画像出力の開始タイミングと、音声案内装置７０での音声出力の開始タイミングとが一致する。
【００４０】
ステップＳ４９では、管理装置４０の制御部４２は、ステップＳ４１，Ｓ４３で出力順「２」の賭式「２枠単」についての画像出力指示及び音声出力指示を同時に第二通信部４４へ出力した時点を起点として、出力順「２」の賭式「２枠単」についての切替待ち時間「１０.５秒」（図１０）が経過するのを待つ。
【００４１】
そして、制御部４２は、出力順「２」の賭式「２枠単」についての切替待ち時間「１０.５秒」が経過した時点で、ステップＳ５１，Ｓ５３において、出力順「３」の賭式「２車複」（図１０）について、画像出力指示及び音声出力指示を同時に第二通信部４４へ出力し、第二通信部４４は、賭式「２車複」の画像出力指示を着順表示装置６０へ送信する一方で、画像出力指示の送信と同時に、賭式「２車複」の音声出力指示を音声案内装置７０へ送信する。そして、賭式「２車複」の画像出力指示が着順表示装置６０に受信されるのと同時に、賭式「２車複」の音声出力指示が音声案内装置７０に受信される。
【００４２】
ステップＳ５５では、ステップＳ５１で管理装置４０から賭式「２車複」の画像出力指示を受信した着順表示装置６０が、受信した画像出力指示（２車複）に従って、「２車複  １−２  １,５００円」の画像の出力を開始する。また、ステップＳ５７では、ステップＳ５３で管理装置４０から賭式「２車複」の音声出力指示を受信した音声案内装置７０が、受信した音声出力指示（２車複）に従って、ステップＳ５５で着順表示装置６０が「２車複  １−２  １,５００円」の画像の出力を開始したのと同時に、「２車複  １−２  １,５００円」の音声の出力を開始する。つまり、制御部４２からの制御によって、出力順「３」の払戻内容「２車複  １−２  １,５００円」について、着順表示装置６０での画像出力の開始タイミングと、音声案内装置７０での音声出力の開始タイミングとが一致する。
【００４３】
よって、着順表示装置６０では、出力順「１」の払戻金内容「２枠複  １−２  １２０円」の画像が出力されてから９.５秒後に、出力画像が、出力順「２」の払戻金内容「２枠単  １−２  １,２３０円」の画像に切り替えられ、出力順「２」の払戻金内容「２枠単  １−２  １,２３０円」の画像が出力されてから１０.５秒後に、出力画像が、出力順「３」の払戻金内容「２車複  １−２  １,５００円」の画像に切り替えられる。
【００４４】
一方で、音声案内装置７０では、着順表示装置６０において出力順「１」の払戻金内容「２枠複  １−２  １２０円」の画像の出力が開始されるのと同時に、出力順「１」の払戻金内容「２枠複  １−２  １２０円」の音声出力が開始され、出力順「１」の払戻金内容「２枠複  １−２  １２０円」の音声出力が開始されてから９.５秒後に、出力順「２」の払戻金内容「２枠単  １−２  １,２３０円」の音声出力が開始され、出力順「２」の払戻金内容「２枠単  １−２  １,２３０円」の音声出力が開始されてから１０.５秒後に、出力順「３」の払戻金内容「２車複  １−２  １,５００円」の音声出力が開始される。
【００４５】
以降、出力順「９」（図１０）まで同様の処理が繰り返される。
【００４６】
ここで、出力順「１」〜「６」の切替待ち時間は音声出力時間と同一であるため（図１０）、出力順「２」〜「７」については、出力順が連続する二つの賭式において、前者の払戻内容の音声出力が終了した後、即座に、後者の払戻内容の音声出力が開始される。例えば、出力順「２」の払戻金内容「２枠単  １−２  １,２３０円」の音声出力は、出力順「１」の払戻金内容「２枠複  １−２  １２０円」の音声出力が終了した後、即座に開始される。
【００４７】
一方で、出力順「７」，「８」の切替待ち時間「１０秒」は音声出力時間「９秒」よりも１秒長いため（図１０）、出力順「８」の払戻内容「ワイド  １−３  ２２０円」のの音声出力は、出力順「７」の払戻内容「ワイド  １−２  １１０円」の音声出力が終了した時点から１秒後に開始され、出力順「９」の払戻内容「ワイド  ２−３  １２,３００円」の」の音声出力は、出力順「８」の払戻内容「ワイド  １−３  ２２０円」の音声出力が終了した時点から１秒後に開始される。
【００４８】
また、出力順「１」〜「９」のすべてにおいて、切替待ち時間は音声出力時間以上であるため、賭式毎の払戻内容の音声出力は音声出力の途中で途切れてしまうことはない。
【００４９】
以上のように、実施例１では、公営競技システム１は、センター装置１０と、着順表示装置６０と、音声案内装置７０と、管理装置４０とを有する。センター装置１０は、払戻金データを送信する。着順表示装置６０は、払戻金データを受信し、受信した払戻金データを画像に変換し、変換後の画像を出力することによって払戻金を通知する。音声案内装置７０は、払戻金データを受信し、受信した払戻金データを音声に変換し、変換後の音声を出力することによって払戻金を通知する。管理装置４０は、払戻金データを受信し、受信した払戻金データに基づいて、レースの賭式毎に、着順表示装置６０における画像の出力による払戻金の通知開始タイミング（以下では「第一タイミング」と呼ぶことがある）と、音声案内装置７０における音声の出力による払戻金の通知開始タイミング（以下では「第二タイミング」と呼ぶことがある）とを一致させる。
【００５０】
また、実施例１では、管理装置４０は、センター装置１０と、着順表示装置６０と、音声案内装置７０とに接続され、第一通信部４１と、制御部４２とを有する。第一通信部４１は、センター装置１０から払戻金データを受信する。制御部４２は、受信された払戻金データに基づいて、レースの賭式毎に、第一タイミングと第二タイミングとを一致させる。
【００５１】
こうすることで、払戻金の通知の際の投票者の違和感を軽減して、投票者に払戻金の確認をし易くすることができる。
【００５２】
また、実施例１では、管理装置４０は、払戻金データに基づいて、賭式毎に、音声案内装置７０における音声の出力時間を算出する。
【００５３】
こうすることで、賭式毎の払戻内容の音声出力が音声出力の途中で途切れてしまうことのない十分な音声出力時間を算出することができる。
【００５４】
また、実施例１では、管理装置４０は、賭式毎に、着順表示装置６０における画像の出力時間と、音声案内装置７０における音声の出力時間とのうち、より長い時間に基づいて、第一タイミングと第二タイミングとを一致させる。
【００５５】
こうすることで、着順表示装置６０における賭式毎の払戻内容の画像の出力時間を十分に確保した上で、音声案内装置７０における賭式毎の払戻内容の音声出力が音声出力の途中で途切れてしまうことを防止できる。
【００５６】
［実施例２］
＜管理装置のハードウェア構成＞
管理装置４０は、例えば、次のようなハードウェア構成により実現することができる。図１１は、実施例２の管理装置のハードウェア構成例を示す図である。図１１において、管理装置４０は、ハードウェアの構成要素として、プロセッサ４０ａと、メモリ４０ｂと、ネットワークインタフェースモジュール４０ｃとを有する。プロセッサ４０ａの一例として、ＣＰＵ（Central  Processing  Unit）、ＤＳＰ（Digital  Signal  Processor）、ＦＰＧＡ（Field  Programmable  Gate  Array）等が挙げられる。メモリ４０ｂの一例として、ＳＤＲＡＭ（Synchronous  Dynamic  Random  Access  Memory）等のＲＡＭ（Random  Access  Memory），ＲＯＭ（Read  Only  Memory）、フラッシュメモリ等が挙げられる。
【００５７】
制御部４２は、例えばプロセッサ４０ａによって実現される。記憶部４３は、例えばメモリ４０ｂによって実現される。第一通信部４１及び第二通信部４４は、例えばネットワークインタフェースモジュール４０ｃによって実現される。
【００５８】
また、管理装置４０での上記説明における各処理は、各処理に対応するプログラムをプロセッサ４０ａに実行させることによって実現しても良い。例えば、上記説明における各処理に対応するプログラムがメモリ４０ｂに記憶され、プログラムがプロセッサ４０ａによってメモリ４０ｂから読み出されて実行されても良い。
【符号の説明】
【００５９】
１  公営競技システム
１０  センター装置
４０  管理装置
４２  制御部
６０  着順表示装置
７０  音声案内装置
【図１】
2019207623.tif 000003
【図２】
2019207623.tif 000004
【図３】
2019207623.tif 000005
【図４】
2019207623.tif 000006
【図５】
2019207623.tif 000007
【図６】
2019207623.tif 000008
【図７】
2019207623.tif 000009
【図８】
2019207623.tif 000010
【図９】
2019207623.tif 000011
【図１０】
2019207623.tif 000012
【図１１】
2019207623.tif 000013